(57)【要約】【課題】  機器の本体に特別な加工を加えなくとも持ち運びに便利なアダプタ構造を提供する。【解決手段】  セレクトベイスロットを有する電子機器のアダプタ構造において、前記セレクトベイスロットに装着されるウェイトセーバーと、前記電子機器の筐体を形成し前記ウェイトセーバーの装着時の側面に面する部位に把手とすべく穴を形成したキャビネットとを備え前記キャビネットの穴に面する前記ウェイトセーバーの部位に前記穴と連係して把手とすべく窪みを形成したことを特徴とするアダプタ構造。【選択図】      図４
2008158948.tif 000002
【特許請求の範囲】
【請求項１】
セレクトベイスロットを有する電子機器のアダプタ構造において、
前記セレクトベイスロットに装着されるウェイトセーバーと、
前記電子機器の筐体を形成し前記ウェイトセーバーの装着時の側面に面する部位に把手とすべく穴を形成したキャビネットとを
備え前記キャビネットの穴に面する前記ウェイトセーバーの部位に前記穴と連係して把手とすべく窪みを形成したことを特徴とするアダプタ構造。
【請求項２】
セレクトベイスロットを有する電子機器のアダプタ構造において、
前記セレクトベイスロットに装着されるウェイトセーバーを
備えこのウェイトセーバーの装着時の表面部位フレームが突出して把手となることを可能にしたことを特徴とするアダプタ構造。
【発明の詳細な説明】
【技術分野】
【０００１】
本発明は、アダプタ構造に係り、特に、電子機器の持ち運びに便利なアダプタ構造に関する。
【背景技術】
【０００２】
ノートブック型パーソナルコンピュータ等の電子機器においては、自由に持ち運んで利用されることが多い。そのため重量などは持ち運びやすいように軽くする方向に進んでいる。またその形状などに関しても、電子機器の持ち運びに便利な構造が工夫されてきている。
【０００３】
例えば特開平４−２６６１１１号公報（特許文献１）によるものは、本体フレームの突出部の奥側端面に把手を収納自在ないし着脱自在に設けたノート型情報処理装置というものである。
【０００４】
この従来の技術は、本体に把手を持ち、このような方法も一法であるが背面の各種端子の配置の制約があり使いがってが良くなく、他に本体に特別な加工を加えなくとも持ち運びに便利な構造が望まれるところである。
【特許文献１】特開平４−２６６１１１号公報
【発明の開示】
【発明が解決しようとする課題】
【０００５】
本発明は、機器の本体に特別な加工を加えなくとも持ち運びに便利なアダプタ構造を提供することを目的とする。
【課題を解決するための手段】
【０００６】
上記課題を解決するために、本発明のアダプタ構造は、セレクトベイスロットを有する電子機器のアダプタ構造において、前記セレクトベイスロットに装着されるウェイトセーバーと、前記電子機器の筐体を形成し前記ウェイトセーバーの装着時の側面に面する部位に把手とすべく穴を形成したキャビネットとを備え前記キャビネットの穴に面する前記ウェイトセーバーの部位に前記穴と連係して把手とすべく窪みを形成したことを特徴とする。
【発明の効果】
【０００７】
本発明によれば、機器の本体に特別な加工を加えなくとも持ち運びに便利なアダプタ構造が得られる。
【発明を実施するための最良の形態】
【０００８】
以下、本発明の実施例を説明する。
【実施例１】
【０００９】
本発明による実施例１を図１乃至図４を参照して説明する。
図１は、本発明によるアダプタ構造に係わるコンピュータの実施例の斜視図である。図２は、コンピュータシステムの構成を示すブロック図である。図３は、コンピュータ装置の概略外形図である。図４は、筐体底面及びウェイトセーバーに窪み構造をつけた説明図である。
【００１０】
図１は、本発明によるアダプタ構造に係わるコンピュータの実施例の斜視図である。ノートブック型パーソナルコンピュータ（以下、コンピュータと称す。）１のディスプレイユニット３を本体２に対して開いた状態の一例を示す図である。
【００１１】
コンピュータ１は本体２とディスプレイユニット３とから構成される。ディスプレイユニット３には、ＬＣＤ（Liquid Crystal Display）４を有する表示装置が組み込まれており、ＬＣＤ４はディスプレイユニット３のほぼ中央に位置される。
【００１２】
ディスプレイユニット３は、本体２に対して開放位置と閉塞位置との間を回動自在に取り付けられる。本体２は略箱形の形状を有しており、本体２の上面にはキーボードユニット５、コンピュータ１の電源オン／オフするためのパワーボタン６等が配置される。パワーボタン６はコンピュータ１を使用開始する際、押し下げ操作される。
【００１３】
本体２の側面にはセレクトベイスロット（装着部）７が設けられる。セレクトベイスロット７にはセレクトベイスロット７に対応したデバイス群を脱着可能に装着可能である。セレクトベイスロット７に対応するデバイス群として、ＯＤＤ(Optional Disk Drive)、ＨＤＤ(Hard Disk Drive)、ＴＶチューナーといった種類のデバイスがある。セレクトベイスロット７はselect bay adapter（通称、セレベイアダプタ）とも言われ、変換コネクタを用いることにより他にも2ndバッテリも接続できる機構である。
【００１４】
なおデバイス以外に装着可能なものとして、ウェイトセーバーがある。ウェイトセーバーは、このセレクトベイスロット７に何もデバイスユニットを装着しない場合に代わりにつけるものである。
【００１５】
図２は、本発明の各実施形態に係るコンピュータシステムの構成を示すブロック図である。このコンピューターシステムは、図示のように、ＣＰＵ１０，グラフィックス・メモリコントローラハブ１１，Ｉ／Ｏハブ２０，メインメモリ１３，ＶＧＡコントローラ１５，ＬＣＤ４，ＶＲＡＭ１７，ＨＤＤ２１，Ｓｅｒｉａｌ  ＡＴＡ２１ａ，ＢＩＯＳ２７，ＬＰＣバス２６，キーボード５，ＥＣ／ＫＢＣ２８，Ｉ２Ｃバス２３，バッテリー３２，電源マイコン３０、他にはＵＳＢ，Ｂｌｕｅｔｏｏｔｈ，ＰＣＩバス，Ｗｉｒｅｌｅｓｓ  ＬＡＮ，カードコントローラ，１３９４  Ｉ／Ｆ，ＳＤ  Ｃａｒｄスロット，ＰＣ  Ｃａｒｄスロット，マウス，などを備えている。
【００１６】
次に、図２を参照して、コンピュータ１のハードウェア構成について説明する。
ホストハブ（第１のブリッジ回路）に相当するグラフィックス・メモリコントローラハブ１１には、ＣＰＵ１０、メインメモリ１３、グラフィックス（ＶＧＡ）コントローラ１５およびＩ／Ｏハブ２０が接続されている。
【００１７】
グラフィックス・メモリコントローラハブ１１はシステムバスを介してＣＰＵ１０と接続される。グラフィックス・メモリコントローラハブ１１はメインメモリ１３へのアクセスを制御するメモリコントローラを内蔵する。
【００１８】
ＣＰＵ１０はコンピュータ１の動作を制御するメインプロセッサである。ＣＰＵ１０は外部記憶装置であるハードディスクドライブ（ＨＤＤ）２１からメモリバスを介してメインメモリ１３にロードされる、オペレーティングシステム（ＯＳ）、アプリケーションプログラム、ユーティリティプログラムを実行する。また、ＣＰＵ１０はＢＩＯＳ−ＲＯＭ２７からメインメモリ１３にロードされるＳｙｓｔｅｍ  ＢＩＯＳ（Basic Input Output System）を実行する。
【００１９】
グラフィックス・メモリコントローラハブ１１にＡＧＰ（Accelerated Graphics Port）バスを介して接続されるグラフィクスコントローラ１５はＬＣＤ４にデジタル表示信号を出力する。グラフィクスコントローラ１５にはビデオメモリ（ＶＲＡＭ）１７が接続されており、グラフィックスコントローラ１５はＯＳ／アプリケーションプログラムによってビデオメモリ１７に描画されたデータをＬＣＤ４に表示する。
【００２０】
ホストハブ１１と例えばハブインターフェイスといった専用バスで接続されるＩ／Ｏハブ（第二のブリッジ回路）２０は、ＬＰＣ（low pin count）バス２６上の各デバイスを制御する。
【００２１】
Ｉ／Ｏハブ２０は、外部記憶装置でありシリアルＡＴＡをサポートするＨＤＤ２１とシリアルＡＴＡをサポートするバス２１ａを介して接続される。さらに、Ｉ／Ｏハブ２０はＩＤＥをサポートするバスやＵＳＢをサポートするバス等を介して図示せぬ拡張コネクタと接続される。
【００２２】
拡張コネクタは、セレクトベイスロット７に装着されるセレクトベイスロットに対応したデバイス群に設けられる各コネクタと接続可能な構成となっている。
ＨＤＤ２１には、オペレーティングシステム（ＯＳ）、アプリケーションプログラム、ユーティリティプログラムおよびアプリケーションプログラムを使用することでユーザが作成したデータ等が記憶される。
【００２３】
オーディオコーディックはＩ／Ｏハブ２０とＡＣ（Ａｕｄｉｏ  Ｃｏｄｅｃ）９７を介して接続される。オーディオコーディックは、サウンド入出用のコーディックの一種である。オーディオコーディックは、入出力されるサウンドのコーディック部等を有する。
【００２４】
オーディオコーディックにはＡＭＰが接続される。ＡＭＰはオーディオコーディックにて生成されたサウンド信号を増幅する。ＡＭＰによって増幅されたサウンド信号はスピーカに送出され、スピーカは可聴周波数帯の音波を出力する。
【００２５】
ＬＰＣバス２６上にはエンベデッドコントローラ／キーボードコントローラＩＣ（ＥＣ／ＫＢＣ）２８が接続される。
エンベデッドコントローラ／キーボードコントローラＩＣ（ＥＣ／ＫＢＣ）２８は、電力管理等を行うためのエンベデッドコントローラと、キーボード（ＫＢ）ユニット５を制御するためのキーボードコントローラとが集積された１チップマイクロコンピュータである。
ＥＣ／ＫＢＣ２８にはキーボード５とパワーボタン６とＰＳＣ（Ｐｏｗｅｒ  Ｓｕｐｐｌｙ  Ｃｏｔｒｏｌｌｅｒ）３０と二次電池３２とが接続される。さらに、ＰＳＣ３０には、ＡＣアダプタが接続される。
【００２６】
ユーザがパワーボタン６を操作すると、ＥＣ／ＫＢＣ２８はパワーボタン６が操作されたことを検出する。ＥＣ／ＫＢＣ２８は、パワーボタン６が操作されたことを検出すると、例えば本コンピュータ１のシステムに対して電源供給を開始するようにＰＳＣ３０に通知する。ＰＳＣ３０はＥＣ／ＫＢＣ２８から受け取った通知に基いて、ＡＣアダプタまたは二次電池３２からコンピュータ１のシステムに対して電源供給を開始するように制御する。Ｉ／Ｏハブ２０およびＥＣ／ＫＢＣ２８が絡む制御も存在する。
【００２７】
図３は、実施例の装置（機器）の概略外形図である。全体から見た装置の位置取りを示している。セレベイアダプタの場所を円で大まかに示してある。図３（ａ）は装置を上から見た平面図であり、図３（ｂ）はセレベイアダプタ側の側面図であり、図３（ｃ）は下から見た平面図である。
【００２８】
図４は、実施例の筐体底面及びウェイトセーバーに窪み構造をつけた説明図（側面略図で、それぞれ窪み５１、窪み５２）である。筐体背面、並びにウェイトセイバーの該当部分にくぼみを設けてある。指を引っ掛けることが出来るようにくぼませている。
【００２９】
このように窪みをつけた場合、ユーザがノートＰＣを腋に抱えて持った場合ちょうど指は窪みの位置に来る。ここで指を窪みに引っ掛けることで、ノートＰＣを持った場合の安定度が格段にあがり、何かの拍子にノートＰＣを落としてしまう可能性が低下する。この方法はノートＰＣの持ち方などから、重量のある大型サイズのノートＰＣほど効果が大きいと考えられる。また、このくぼみの位置はDockの接続を解除してノートＰＣを移動させたいときにも、Dockとの接続で浮いている筐体底面に手をもぐらせてノートＰＣを掴むときにちょうど指が窪みの位置にあるため持ちやすくなる。
【００３０】
＜本例のポイント＞
１．ODDや2nd HDDを装着するセレベイアダプタには、ユニットを装着せず重量を軽くする場合にウェイトセーバーを装着させる。本来ウェイトセーバーはただの穴埋めユニットであるが、ここに取っ手となる構造を組み込む。
【００３１】
２．筐体底面、及びウェイトセーバーに窪みを持った構造を負荷させることで、ノートＰＣを携帯した際に指を引っ掛けることが出来るような構造を付加する。
【実施例２】
【００３２】
本発明による実施例２を図１乃至図３及び図５を参照して説明する。実施例１と共通する部分は説明を省略する。
図５は、実施例のウェイトセーバーに取っ手の構造を組み込んだ説明図である。図５は、ウェイトセーバーに取っ手の構造を組み込んだ図である。ウェイトセーバー前面に図示せぬ押しボタンを設けている。前面のボタンを押すことでフレーム形状の取っ手６０が出てくる。取っ手の折りたたみ機構は既存技術に依る。
【００３３】
図５のようにウェイトセーバーそのものに取っ手をつけた場合、ノートＰＣをかばんのように持ち運ぶことが出来る。この場合ノートＰＣの重量がセレベイアダプタの接続部及び取っ手の部分にかかるが、軽量薄型ノートＰＣの持ち運びやすさを格段に向上させることが出来る。
【００３４】
＜本例のポイント＞
１．ODDや2nd HDDを装着するセレベイアダプタには、ユニットを装着せず重量を軽くする場合にウェイトセーバーを装着させる。本来ウェイトセーバーはただの穴埋めユニットであるが、ここに取っ手となる構造を組み込む。
【００３５】
２．ウェイトセーバーに取っ手となる構造そのものを組み込み、必要に応じて取っ手部分を開放、収納させる。
持ち運びを考慮したセレベイアダプタとして、セレベイアダプタに接続可能なウェイトセーバーに取っ手となるような構造を組み込むことで、ノートＰＣの持ち運びを容易にし、かつ運搬中に落下するなどの事故の発生率を低下させるのが要旨である。
【００３６】
本発明によって，ノートＰＣに取っ手となるような形状ないしは構造を付加することで、より持ち運びやすい、かつ安全に持ち運びが出来るようになる。ＰＣは落下させることが致命的なダメージになりかねないため、より安全に持ち運びができる構造を付加することは有益である。
【００３７】
なお、この発明は上記実施例に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００３８】
【図１】本発明によるアダプタ構造に係わるコンピュータの実施例の斜視図。
【図２】本発明の各実施形態に係るコンピュータシステムの構成を示すブロック図。
【図３】本発明の各実施形態に係るコンピュータ装置の概略外形図。
【図４】実施例の筐体底面及びウェイトセーバーに窪み構造をつけた説明図。
【図５】実施例のウェイトセーバーに取っ手の構造を組み込んだ説明図。
【符号の説明】
【００３９】
１  コンピュータ
２  本体
３  ディスプレイユニット
４  ＬＣＤ
５  キーボード
６  パワーボタン
７  セレクトベイスロット
１０  ＣＰＵ
１１  グラフィックス・メモリコントローラハブ
２０  Ｉ／Ｏハブ
１３  メインメモリ
１５  ＶＧＡコントローラ
１７  ＶＲＡＭ
２１  ＨＤＤ
２１ａ  Ｓｅｒｉａｌ  ＡＴＡ
２３  Ｉ２Ｃバス
２６  ＬＰＣバス
２７  ＢＩＯＳ２７
２８  ＥＣ／ＫＢＣ
３０  電源マイコン
３２  バッテリー
５１  穴
５２  窪み
６０  取っ手
【図１】
2008158948.tif 000003
【図２】
2008158948.tif 000004
【図３】
2008158948.tif 000005
【図４】
2008158948.tif 000006
【図５】
2008158948.tif 000007